【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
記憶領域であるボリュームを有する装置であるストレージ装置と、ｉＳＣＳＩ（Internet Small Computer System Interface）プロトコルを経由して前記ストレージ装置のボリュームを使用する装置であるホスト装置と、前記ストレージ装置および前記ホスト装置を管理する装置である管理サーバとがネットワークを介して接続される情報処理システムにおいて、前記ネットワークに接続される装置を検出し、前記検出された装置を監視対象の装置として監視する監視対象装置管理システムであって、
前記管理サーバは、
記憶部に記憶する発見対象のＩＰアドレスが記載された発見対象アドレス管理情報を参照して、前記発見対象のＩＰアドレスに対して装置の構成情報の送信指示をし、該送信指示に対して応答のあった際に、前記応答のあった装置のＩＰアドレスを監視対象の装置として前記記憶部の発見済み装置管理情報に記憶する装置発見部と、
前記監視対象の装置の構成情報を取得し、前記ボリュームに接続するｉＳＣＳＩターゲット名と、前記ボリュームにアクセス許可されたｉＳＣＳＩイニシエータ名と、前記ｉＳＣＳＩターゲット名に対応する接続先ホストＩＤとを関連づけて、前記記憶部のデバイス接続管理情報に記憶する情報取得部と、
前記発見済み装置管理情報にｉＳＮＳ（Internet Storage Name Service）サーバが登録されているとき、前記デバイス接続管理情報を参照して、前記ｉＳＣＳＩターゲット名に対応する接続先ホストが不明な前記ボリュームを検出するとともに、前記接続先ホストが不明な前記ボリュームに対応するアクセス許可されたｉＳＣＳＩイニシエータ名を取得し、前記登録されているｉＳＮＳサーバに対して対応するＩＰアドレスの取得を要求し、前記取得したＩＰアドレスを前記発見対象アドレス管理情報および前記発見済み装置管理情報に記憶する監視対象制御部と、を有する
ことを特徴とする監視対象装置管理システム。
【請求項２】
前記監視対象制御部は、
前記発見済み装置管理情報にｉＳＮＳサーバが登録されているとともに、前記デバイス接続管理情報を参照して、前記接続先ホストが不明な前記ボリュームに対応するアクセス許可されたｉＳＣＳＩイニシエータ名が登録されていないとき、前記登録されているｉＳＮＳサーバに対して、ｉＳＣＳＩネーム管理情報の取得を要求し、前記取得したｉＳＣＳＩネーム管理情報に登録されたＩＰアドレスを取得し、前記取得したＩＰアドレスの装置に対しホスト装置の論理ボリューム管理情報の取得要求し、前記取得した論理ボリューム管理情報から接続先のストレージ装置である接続先ｉＳＣＳＩターゲット名を取得し、前記ｉＳＣＳＩターゲット名が前記デバイス接続管理情報に登録されているｉＳＣＳＩターゲット名と一致するとき、前記取得したＩＰアドレスを前記発見対象アドレス管理情報および前記発見済み装置管理情報に記憶する
ことを特徴とする請求項１に記載の監視対象装置管理システム。
【請求項３】
前記監視対象制御部は、
前記発見済み装置管理情報にｉＳＮＳサーバが登録されていないとき、前記発見済み装置管理情報に登録されたＩＰアドレスを取得し、前記取得したＩＰアドレスの装置に対しホスト装置の論理ボリューム管理情報の取得要求し、前記取得した論理ボリューム管理情報から接続先のストレージ装置である接続先ｉＳＣＳＩターゲット名を取得し、前記ｉＳＣＳＩターゲット名が前記デバイス接続管理情報に登録されているｉＳＣＳＩターゲット名と一致するとき、前記取得したＩＰアドレスを前記発見対象アドレス管理情報および前記発見済み装置管理情報に記憶する
ことを特徴とする請求項１または請求項２に記載の監視対象装置管理システム。
【請求項４】
前記発見済み装置管理情報には、装置にアクセスした日時が登録されており、
前記装置発見部は、前記装置にアクセスした日時から、アクセスが所定時間行えない場合、監視対象から除外する装置であることを出力部に表示する
ことを特徴とする請求項１から請求項３のいずれか１項に記載の監視対象装置管理システム。
【請求項５】
前記管理サーバは、
前記ネットワーク上の故障のイベントを取得する故障イベント取得部を備え、
前記故障イベント取得部は、検知した複数の障害もしくはその兆候の中から原因となる事象を検出し、前記装置発見部において監視対象として認識した装置に対し、アクセスが行えない原因が、装置の電源がはいっていないことを確認した場合、監視対象から除外する装置であることを出力部に表示する
ことを特徴とする請求項１から請求項４のいずれか１項に記載の監視対象装置管理システム。
【請求項６】
記憶領域であるボリュームを有する装置であるストレージ装置と、ｉＳＣＳＩ（Internet Small Computer System Interface）プロトコルを経由して前記ストレージ装置のボリュームを使用する装置であるホスト装置とがネットワークを介して接続されており、前記ストレージ装置および前記ホスト装置を管理する装置である管理サーバにおいて、
記憶部に記憶する発見対象のＩＰアドレスが記載された発見対象アドレス管理情報を参照して、前記発見対象のＩＰアドレスに対して装置の構成情報の送信指示をし、該送信指示に対して応答のあった際に、前記応答のあった装置のＩＰアドレスを監視対象の装置として前記記憶部の発見済み装置管理情報に記憶する装置発見部と、
前記監視対象の装置の構成情報を取得し、前記ボリュームに接続するｉＳＣＳＩターゲット名と、前記ボリュームにアクセス許可されたｉＳＣＳＩイニシエータ名と、前記ｉＳＣＳＩターゲット名に対応する接続先ホストＩＤとを関連づけて、前記記憶部のデバイス接続管理情報に記憶する情報取得部と、
前記発見済み装置管理情報にｉＳＮＳ（Internet Storage Name Service）サーバが登録されているとき、前記デバイス接続管理情報を参照して、前記ｉＳＣＳＩターゲット名に対応する接続先ホストが不明な前記ボリュームを検出するとともに、前記接続先ホストが不明な前記ボリュームに対応するアクセス許可されたｉＳＣＳＩイニシエータ名を取得し、前記登録されているｉＳＮＳサーバに対して対応するＩＰアドレスの取得を要求し、前記取得したＩＰアドレスを前記発見対象アドレス管理情報および前記発見済み装置管理情報に記憶する監視対象制御部と、を有する
ことを特徴とする管理サーバ。
【請求項７】
前記監視対象制御部は、
前記発見済み装置管理情報にｉＳＮＳサーバが登録されているとともに、前記デバイス接続管理情報を参照して、前記接続先ホストが不明な前記ボリュームに対応するアクセス許可されたｉＳＣＳＩイニシエータ名が登録されていないとき、前記登録されているｉＳＮＳサーバに対して、ｉＳＣＳＩネーム管理情報の取得を要求し、前記取得したｉＳＣＳＩネーム管理情報に登録されたＩＰアドレスを取得し、前記取得したＩＰアドレスの装置に対しホスト装置の論理ボリューム管理情報の取得要求し、前記取得した論理ボリューム管理情報から接続先のストレージ装置である接続先ｉＳＣＳＩターゲット名を取得し、前記ｉＳＣＳＩターゲット名が前記デバイス接続管理情報に登録されているｉＳＣＳＩターゲット名と一致するとき、前記取得したＩＰアドレスを前記発見対象アドレス管理情報および前記発見済み装置管理情報に記憶する
ことを特徴とする請求項６に記載の管理サーバ。
【請求項８】
前記監視対象制御部は、
前記発見済み装置管理情報にｉＳＮＳサーバが登録されていないとき、前記発見済み装置管理情報に登録されたＩＰアドレスを取得し、前記取得したＩＰアドレスの装置に対しホスト装置の論理ボリューム管理情報の取得要求し、前記取得した論理ボリューム管理情報から接続先のストレージ装置である接続先ｉＳＣＳＩターゲット名を取得し、前記ｉＳＣＳＩターゲット名が前記デバイス接続管理情報に登録されているｉＳＣＳＩターゲット名と一致するとき、前記取得したＩＰアドレスを前記発見対象アドレス管理情報および前記発見済み装置管理情報に記憶する
ことを特徴とする請求項６または請求項７に記載の管理サーバ。
【請求項９】
前記発見済み装置管理情報には、装置にアクセスした日時が登録されており、
前記装置発見部は、前記装置にアクセスした日時から、アクセスが所定時間行えない場合、監視対象から除外する装置であることを出力部に表示する
ことを特徴とする請求項６から請求項８のいずれか１項に記載の管理サーバ。
【請求項１０】
前記管理サーバは、
前記ネットワーク上の故障のイベントを取得する故障イベント取得部を備え、
前記故障イベント取得部は、検知した複数の障害もしくはその兆候の中から原因となる事象を検出し、前記装置発見部において監視対象として認識した装置に対し、アクセスが行えない原因が、装置の電源がはいっていないことを確認した場合、監視対象から除外する装置であることを出力部に表示する
ことを特徴とする請求項６から請求項９のいずれか１項に記載の管理サーバ。
【請求項１１】
記憶領域であるボリュームを有する装置であるストレージ装置と、ｉＳＣＳＩ（Internet Small Computer System Interface）プロトコルを経由して前記ストレージ装置のボリュームを使用する装置であるホスト装置と、前記ストレージ装置および前記ホスト装置を管理する装置である管理サーバとがネットワークを介して接続される情報処理システムにおいて、前記ネットワークに接続される装置を検出し、前記検出された装置を監視対象の装置として監視する監視対象装置管理方法であって、
前記管理サーバは、
記憶部に記憶する発見対象のＩＰアドレスが記載された発見対象アドレス管理情報を参照して、前記発見対象のＩＰアドレスに対して装置の構成情報の送信指示をし、該送信指示に対して応答のあった際に、前記応答のあった装置のＩＰアドレスを監視対象の装置として前記記憶部の発見済み装置管理情報に記憶する装置発見ステップと、
前記監視対象の装置の構成情報を取得し、前記ボリュームに接続するｉＳＣＳＩターゲット名と、前記ボリュームにアクセス許可されたｉＳＣＳＩイニシエータ名と、前記ｉＳＣＳＩターゲット名に対応する接続先ホストＩＤとを関連づけて、前記記憶部のデバイス接続管理情報に記憶する情報取得ステップと、
前記発見済み装置管理情報にｉＳＮＳ（Internet Storage Name Service）サーバが登録されているとき、前記デバイス接続管理情報を参照して、前記ｉＳＣＳＩターゲット名に対応する接続先ホストが不明な前記ボリュームを検出するとともに、前記接続先ホストが不明な前記ボリュームに対応するアクセス許可されたｉＳＣＳＩイニシエータ名を取得し、前記登録されているｉＳＮＳサーバに対して対応するＩＰアドレスの取得を要求し、前記取得したＩＰアドレスを前記発見対象アドレス管理情報および前記発見済み装置管理情報に記憶する監視対象制御ステップと、
を含んで実行することを特徴とする監視対象装置管理方法。
【請求項１２】
前記監視対象制御ステップは、
前記発見済み装置管理情報にｉＳＮＳサーバが登録されているとともに、前記デバイス接続管理情報を参照して、前記接続先ホストが不明な前記ボリュームに対応するアクセス許可されたｉＳＣＳＩイニシエータ名が登録されていないとき、前記登録されているｉＳＮＳサーバに対して、ｉＳＣＳＩネーム管理情報の取得を要求し、前記取得したｉＳＣＳＩネーム管理情報に登録されたＩＰアドレスを取得し、前記取得したＩＰアドレスの装置に対しホスト装置の論理ボリューム管理情報の取得要求し、前記取得した論理ボリューム管理情報から接続先のストレージ装置である接続先ｉＳＣＳＩターゲット名を取得し、前記ｉＳＣＳＩターゲット名が前記デバイス接続管理情報に登録されているｉＳＣＳＩターゲット名と一致するとき、前記取得したＩＰアドレスを前記発見対象アドレス管理情報および前記発見済み装置管理情報に記憶する
ことを特徴とする請求項１１に記載の監視対象装置管理方法。
【請求項１３】
前記監視対象制御ステップは、
前記発見済み装置管理情報にｉＳＮＳサーバが登録されていないとき、前記発見済み装置管理情報に登録されたＩＰアドレスを取得し、前記取得したＩＰアドレスの装置に対しホスト装置の論理ボリューム管理情報の取得要求し、前記取得した論理ボリューム管理情報から接続先のストレージ装置である接続先ｉＳＣＳＩターゲット名を取得し、前記ｉＳＣＳＩターゲット名が前記デバイス接続管理情報に登録されているｉＳＣＳＩターゲット名と一致するとき、前記取得したＩＰアドレスを前記発見対象アドレス管理情報および前記発見済み装置管理情報に記憶する
ことを特徴とする請求項１１または請求項１２に記載の監視対象装置管理方法。
【請求項１４】
前記発見済み装置管理情報には、装置にアクセスした日時が登録されており、
前記装置発見ステップは、前記装置にアクセスした日時から、アクセスが所定時間行えない場合、監視対象から除外する装置であることを出力部に表示する
ことを特徴とする請求項１１から請求項１３のいずれか１項に記載の監視対象装置管理方法。
【請求項１５】
前記管理サーバは、
前記ネットワーク上の故障のイベントを取得する故障イベント取得ステップを備え、
前記故障イベント取得ステップは、検知した複数の障害もしくはその兆候の中から原因となる事象を検出し、前記装置発見ステップにおいて監視対象として認識した装置に対し、アクセスが行えない原因が、装置の電源がはいっていないことを確認した場合、監視対象から除外する装置であることを出力部に表示する
ことを特徴とする請求項１１から請求項１４のいずれか１項に記載の監視対象装置管理方法。